(57)【特許請求の範囲】
【請求項１】
被写体に放射線を照射する放射線源を、該被写体を透過した放射線を検出する検出手段に対して相対的に移動させ、前記放射線源の移動による複数の照射位置において前記被写体に前記放射線を照射して、前記複数の照射位置にそれぞれ対応する複数の撮影画像を取得する画像取得手段と、
前記複数の撮影画像から断層画像を再構成することにより前記被写体の断層画像を生成する再構成手段と、
前記検出手段から順次出力される前記撮影画像を表示手段に順次プレビュー表示するプレビュー表示制御手段と、
前記プレビュー表示される撮影画像に含まれる被写体領域の基準となる部分を、前記表示手段の表示画面における所定位置と一致させるよう、前記プレビュー表示される各撮影画像の前記表示画面における表示位置を調整する表示位置調整手段とを備えたことを特徴とする放射線撮影装置。
【請求項２】
前記表示位置調整手段は、前記複数の撮影画像のそれぞれにおいて、前記断層画像を再構成するための基準点の投影位置を算出し、該投影位置を前記所定位置に位置させるためのシフト量を算出し、該シフト量に基づいて前記表示位置を調整する手段であることを特徴とする請求項１記載の放射線撮影装置。
【請求項３】
前記基準点は、前記断層画像を再構成する再構成範囲の中心点であることを特徴とする請求項２記載の放射線撮影装置。
【請求項４】
前記所定位置は、前記表示画面の中心位置であることを特徴とする請求項１から３のいずれか１項記載の放射線撮影装置。
【請求項５】
前記画像取得手段は、前記検出手段に対して前記放射線源を移動させて撮影を行うことにより、前記複数の撮影画像を取得する手段であることを特徴とする請求項１から４のいずれか１項記載の放射線撮影装置。
【請求項６】
前記プレビュー表示制御手段は、前記撮影画像よりも低い解像度で前記撮影画像を表示する手段であることを特徴とする請求項１から５のいずれか１項記載の放射線撮影装置。
【請求項７】
前記プレビュー表示制御手段は、少なくとも所定枚数目の前記撮影画像を順次表示する手段であることを特徴とする請求項１から６のいずれか１項記載の放射線撮影装置。
【請求項８】
前記プレビュー表示制御手段は、前記撮影画像を基準パターンとともに表示する手段であることを特徴とする請求項１から７のいずれか１項記載の放射線画像撮影装置。
【請求項９】
被写体に放射線を照射する放射線源を、該被写体を透過した放射線を検出する検出手段に対して相対的に移動させ、前記放射線源の移動による複数の照射位置において前記被写体に前記放射線を照射して、前記複数の照射位置にそれぞれ対応する複数の撮影画像を取得し、
前記複数の撮影画像から断層画像を再構成することにより前記被写体の断層画像を生成し、
前記検出手段から順次出力される前記撮影画像を表示手段に順次プレビュー表示するに際し、前記プレビュー表示される撮影画像に含まれる被写体領域の基準となる部分を、前記表示手段の表示画面における所定位置と一致させるよう、前記プレビュー表示される各撮影画像の前記表示画面における表示位置を調整し、
表示位置が調整された前記撮影画像に基づいて、プレビュー用の画像を前記表示手段に表示することを特徴とする放射線画像撮影方法。
【請求項１０】
被写体に放射線を照射する放射線源を、該被写体を透過した放射線を検出する検出手段に対して相対的に移動させ、前記放射線源の移動による複数の照射位置において前記被写体に前記放射線を照射して、前記複数の照射位置にそれぞれ対応する複数の撮影画像を取得する手順と、
前記複数の撮影画像から断層画像を再構成することにより前記被写体の断層画像を生成する手順と、
前記検出手段から順次出力される前記撮影画像を表示手段に順次プレビュー表示するに際し、前記プレビュー表示される撮影画像に含まれる被写体領域の基準となる部分を、前記表示手段の表示画面における所定位置と一致させるよう、前記プレビュー表示される各撮影画像の前記表示画面における表示位置を調整する手順と、
表示位置が調整された前記撮影画像に基づいて、プレビュー用の画像を前記表示手段に表示する手順とをコンピュータに実行させることを特徴とする放射線画像撮影プログラム。
【発明の詳細な説明】
【技術分野】
【０００１】
本発明は、断層画像を生成するトモシンセシス撮影を行うための放射線撮影装置、方法およびプログラムに関するものである。
【背景技術】
【０００２】
近年、Ｘ線撮影装置において、患部をより詳しく観察するために、Ｘ線管を移動させて異なる角度から被写体にＸ線を照射して撮影を行い、これにより取得した画像を加算して所望の断層面を強調した画像を得ることができるトモシンセシス撮影が提案されている。トモシンセシス撮影では、撮影装置の特性や必要な断層画像に応じて、Ｘ線管をＸ線検出器と平行に移動させたり、円や楕円の弧を描くように移動させて、異なる照射角となる複数の照射位置において被写体を撮影することにより複数の撮影画像を取得し、単純逆投影法あるいはフィルタ逆投影法等の逆投影法等を用いてこれらの撮影画像を再構成して断層画像を生成する。
【０００３】
このようなトモシンセシス撮影を行うことにより、任意の断層画像を再構成可能な放射線撮影装置では、１回の撮影開始指示に基づいて、被写体の複数の画像を撮影することから、撮影開始から撮影終了までの撮影時間として数秒を要し、この撮影時間内に被写体が動いてしまう場合がある。
【０００４】
撮影時間内での被写体の動き（体動）のレベルが再構成に影響のないレベルであれば問題ないが、体動のレベルが再構成に影響がある場合は、その後の撮影は無駄なものとなる。しかも、再撮影が必要になる等、作業効率、患者の被曝、患者の拘束時間の点で無駄が多くなるという問題がある。このため、トモシンセシス撮影中に順次取得される複数の放射線画像をモニタに表示することにより、操作者に体動を確認させることが考えられる（特許文献１）。
【０００５】
また、トモシンセシス撮影等により取得された複数の放射線画像において、検出器の欠陥領域に起因する画素欠陥を補正するために、Ｘ線管の移動情報に基づいて、複数の放射線画像の位置を合わせて加算する手法が提案されている（特許文献２参照）。
【先行技術文献】
【特許文献】
【０００６】
【特許文献１】特願２００９−２７０５５３号
【特許文献２】特開２００８−２３７５５０号公報
【発明の概要】
【発明が解決しようとする課題】
【０００７】
しかしながら、トモシンセシス撮影は、Ｘ線管を移動させて異なる角度から被写体にＸ線を照射して撮影を行っているため、Ｘ線管の位置に応じてＸ線検出器におけるＸ線の照射領域の位置が異なる。例えば、Ｘ線管の移動経路においてＸ線検出器の重心を通る垂線と交差する位置（すなわち移動範囲の中央位置）にＸ線管が位置する場合、Ｘ線照射領域はＸ線検出器の中央に位置するが、Ｘ線管が中央位置から離れると、Ｘ線照射範囲が移動する。具体的には、Ｘ線管の移動経路に直交する方向から見て、Ｘ線管が中央位置の左側にある場合、Ｘ線照射位置はＸ線検出器の右側へ移動し、Ｘ線管が中央位置の右側にある場合、Ｘ線照射位置はＸ線検出器の左側へ移動する。
【０００８】
このため、撮影により取得された複数の画像をモニタ表示した場合、図６に示すようにモニタの表示画面上においてＸ線照射により得られる被写体領域が上下に移動してしまう。このように表示画面上において被写体領域が移動すると、操作者は被写体の体動が観察しにくいという問題がある。
【０００９】
本発明は上記事情に鑑みなされたものであり、トモシンセシス撮影中の被写体の体動の観察をし易くすることを目的とする。
【課題を解決するための手段】
【００１０】
本発明による放射線撮影装置は、被写体に放射線を照射する放射線源を、該被写体を透過した放射線を検出する検出手段に対して相対的に移動させ、前記放射線源の移動による複数の照射位置において前記被写体に前記放射線を照射して、前記複数の照射位置にそれぞれ対応する複数の撮影画像を取得する画像取得手段と、
前記複数の撮影画像から断層画像を再構成することにより前記被写体の断層画像を生成する再構成手段と、
前記検出手段から順次出力される前記撮影画像に基づいて、プレビュー用の画像を表示手段に表示するプレビュー表示制御手段と、
前記撮影画像に含まれる被写体領域の基準となる部分を、前記表示手段の表示画面における所定位置と一致させるよう前記撮影画像の前記表示画面における表示位置を調整する表示位置調整手段とを備えたことを特徴とするものである。
【００１１】
「放射線源を検出手段に対して相対的に移動させる」とは、検出手段を固定して放射線源のみを移動させる場合、および検出手段と放射線源との双方を同期させて移動する場合の両方を含む。また、移動は、直線に沿った移動および円弧に沿った移動のいずれであってもよい。
【００１２】
「撮影画像に含まれる被写体領域」とは、被写体を透過した放射線により被写体の放射線画像が形成されている領域であり、被写体を透過した放射線の検出手段の検出面における照射領域と一致する。
【００１３】
なお、本発明による放射線撮影装置においては、前記表示位置調整手段を、前記複数の撮影画像のそれぞれにおいて、前記断層画像を再構成するための基準点の投影位置を算出し、該投影位置を前記所定位置に位置させるためのシフト量を算出し、該シフト量に基づいて前記表示位置を調整する手段としてもよい。
【００１４】
この場合、前記基準点を、前記断層画像を再構成する再構成範囲の中心点としてもよい。
【００１５】
また、本発明による放射線撮影装置においては、前記所定位置を、前記表示画面の中心位置としてもよい。
【００１６】
また、本発明による放射線撮影装置においては、前記画像取得手段を、前記検出手段に対して前記放射線源を移動させて撮影を行うことにより、前記複数の撮影画像を取得する手段としてもよい。
【００１７】
また、本発明による放射線撮影装置においては、前記プレビュー表示制御手段を、前記撮影画像よりも低い解像度で前記撮影画像を表示する手段としてもよく、少なくとも所定枚数目の前記撮影画像を順次表示する手段としてもよく、前記撮影画像を基準パターンとともに表示する手段としてもよい。
【００１８】
本発明による放射線撮影方法は、被写体に放射線を照射する放射線源を、該被写体を透過した放射線を検出する検出手段に対して相対的に移動させ、前記放射線源の移動による複数の照射位置において前記被写体に前記放射線を照射して、前記複数の照射位置にそれぞれ対応する複数の撮影画像を取得し、
前記複数の撮影画像から断層画像を再構成することにより前記被写体の断層画像を生成し、
前記撮影画像に含まれる被写体領域の基準となる部分を、表示手段の表示画面における所定位置と一致させるよう前記撮影画像の前記表示画面における表示位置を調整し、
表示位置が調整された前記撮影画像に基づいて、プレビュー用の画像を前記表示手段に表示することを特徴とするものである。
【００１９】
なお、本発明による放射線撮影方法をコンピュータに実行させるためのプログラムとして提供してもよい。
【発明の効果】
【００２０】
本発明によれば、検出手段から順次出力される撮影画像に基づいて、プレビュー用の画像を表示する際に、撮影画像に含まれる被写体領域の基準となる部分を、画像表示手段の表示画面における所定位置と一致させるよう撮影画像の画像表示手段における表示位置を調整するようにしたものである。このため、プレビュー用画像を順次表示する際に、被写体領域が表示画面において移動することがなくなり、その結果、撮影中の被写体の体動を容易に観察することができる。
【図面の簡単な説明】
【００２１】
【図１】本発明の実施形態による放射線撮影装置を適用したＸ線撮影装置の概略図
【図２】Ｘ線管の照射位置と撮影画像におけるＸ線の照射範囲との関係を示す図
【図３】シフト量の算出を説明するための図
【図４】表示位置調整後の撮影画像がモニタに表示される状態を示す図
【図５】本実施形態において行われる処理を示すフローチャート
【図６】表示位置が調整されていない撮影画像がモニタに表示される状態を示す図
【発明を実施するための形態】
【００２２】
以下、図面を参照して本発明の実施形態について説明する。図１は本発明の実施形態による放射線撮影装置を適用したＸ線撮影装置の概略図である。図１に示すように、本実施形態によるＸ線撮影装置１０は、トモシンセシス撮影を行うためのものであり、Ｘ線管１２およびフラットパネルＸ線検出器（以下、単に検出器とする）１４を備える。Ｘ線管１２は移動機構１６により直線または円弧に沿って移動し、移動経路上の複数の位置において、撮影台天板４上の被写体２にＸ線を照射する。本実施形態においては直線軌道に沿って矢印Ａ方向にＸ線管１２を移動させるものとする。なお、被写体２へのＸ線照射量は後述する制御部により所定量となるように制御される。また、移動機構１６は後述する制御部により制御されてＸ線管１２を移動する。
【００２３】
また、Ｘ線管１２にはコリメータ（照射野絞り）６が接続されており、被写体２に照射されるＸ線の範囲（照射範囲）を操作者が設定できるようになっている。なお、コリメータ６を用いて照射範囲を設定する際には、Ｘ線に代えて可視光がコリメータ６を介して被写体２に照射される。なお、可視光はコリメータ６に設けられた照射野ランプ（不図示）から発せられる。これにより、操作者は被写体２に照射された可視光の範囲をコリメータ６を用いて調整することにより、Ｘ線の照射範囲を設定することができる。
【００２４】
検出器１４は、被写体２を透過したＸ線を検出するために、被写体２を載置する撮影台天板４を間に挟んでＸ線管１２と対向するように配置されている。検出器１４は、移動機構１８により必要に応じて直線または円弧に沿って移動し、移動経路上の複数の位置において被写体２を透過したＸ線を検出する。なお、本実施形態においては直線軌道に沿って矢印Ｂ方向に検出器１４を移動させるものとする。
【００２５】
ここで、本実施形態においては、Ｘ線管１２のみを移動し、検出器１４は移動させないでトモシンセシス撮影を行うものとして説明する。
【００２６】
また、Ｘ線撮影装置１０は、画像取得部２０および再構成部２２を備える。画像取得部２０は、Ｘ線管１２の移動による複数の照射位置（すなわち被写体にＸ線を照射する位置）において被写体２にＸ線を照射し、被写体２を透過したＸ線を検出器１４により検出して、移動中の複数の照射位置における複数の撮影画像を取得する。
【００２７】
再構成部２２は、画像取得部２０が取得した複数の撮影画像を再構成することにより、被写体２の所望の断面を示す断層画像を生成する。本実施形態においては、再構成部２２は、単純逆投影法あるいはフィルタ逆投影法等の逆投影法等を用いてこれらの撮影画像を再構成して断層画像を生成するものとする。具体的には下記のように断層画像を生成する。すなわち、再構成を行う断層面上の各点の座標を（ｘ，ｙ，ｚ）、ｉ（ｉ＝１〜ｎ）番目の撮影画像への各点の投影位置の座標を（ｔｉ，ｓｉ）、投影位置（ｔｉ，ｓｉ）の画素値をＰｉ（ｔｉ，ｓｉ）とすると、下記の式（１）を用いて、断層面上の各点の再構成像の信号値Ｔｚ（ｘ，ｙ）を算出することにより、断層画像を生成する。なお、式（１）において、（ｓｘｉ，ｓｙｉ，ｓｚｉ）は、ｉ番目の撮影画像を取得した際の線源位置の位置座標である。
【数１】
0005559648.tif 000002
【００２８】
また、Ｘ線撮影装置１０は、操作部２４、表示部２６および記憶部２８を備える。操作部２４はキーボード、マウスあるいはタッチパネル方式の入力装置からなり、操作者によるＸ線撮影装置１０の操作を受け付ける。また、トモシンセシス撮影を行うために必要な、撮影条件等の各種情報の入力および情報の修正の指示も受け付ける。本実施形態においては、操作者が操作部２４から入力した情報にしたがって、Ｘ線撮影装置１０の各部が動作する。表示部２６は液晶モニタ等の表示装置であり、画像取得部２０が取得した撮影画像および再構成部２２が再構成した断層画像の他、操作に必要なメッセージ等を表示する。なお、表示部２６は音声を出力するスピーカを内蔵するものであってもよい。記憶部２８は、Ｘ線撮影装置１０を動作させるために必要な撮影条件を設定する各種パラメータ等を記憶している。なお、各種パラメータは、撮影部位に応じた標準値が記憶部２８に記憶されており、必要に応じて操作者が操作部２４から指示を行うことにより修正される。
【００２９】
撮影条件を設定するためのパラメータとしては、基準面、断層角度、線源距離、ショット数、ショット間隔、Ｘ線管１２の管電圧および管電流、並びにＸ線の照射時間等が挙げられる。なお、これらのパラメータのうち、ショット数、ショット間隔、Ｘ線管１２の管電圧および管電流、並びにＸ線の照射時間等は、これらがそのまま撮影条件となりうるものである。
【００３０】
基準面は、断層画像を取得する範囲を定める面であり、例えば撮影台天板４の天板面、検出器１４の検出面あるいは被写体２における任意の断層面等を用いることができる。断層角度は、基準面上の基準点からＸ線管１２の移動範囲を定める２つの端部を臨む角度である。なお、基準点としては検出器１４の重心を通る垂線と基準面との交点を用いることができる。ここで、検出器１４の検出面とＸ線管１２の移動経路とは平行となっているため、Ｘ線管１２の移動経路上における検出器１４の検出面に最も近い距離を線源距離とする。
【００３１】
ショット数は、断層角度の範囲内においてＸ線管１２が端から端まで移動する間の撮影回数である。ショット間隔は、各ショットにおいて行われるＸ線照射の時間間隔である。
【００３２】
また、Ｘ線撮影装置１０は演算部３０を備える。演算部３０は、Ｘ線管１２の移動範囲、各撮影におけるＸ線管１２の位置（以下照射位置とする）、撮影時間および線源走行速度等の撮影条件を記憶部２８に記憶されたパラメータにしたがって算出する。
【００３３】
また、Ｘ線撮影装置１０は、プレビュー表示制御部３２および表示位置調整部３４を備える。プレビュー表示制御部３２は、トモシンセシス撮影により順次取得される撮影画像をモニタ３６にプレビュー表示して、トモシンセシス撮影を続行するか否かのオペレータによる判定を支援するためのもである。なお、プレビュー表示制御部は撮影画像をプレビュー表示するのみならず、撮影画像の解像度よりも低い解像度の低解像度撮影画像を生成し、この低解像度撮影画像を表示するようにしてもよい。また、複数の撮影画像または低解像度撮影画像のうち、例えば、奇数番目に撮影された画像または偶数番目に撮影された画像のみを表示するようにしてもよい。また、所定枚数目の撮影画像または低解像度撮影画像を順番に表示するようにしてもよい。この場合、例えば５枚目、１０枚目、１５枚目・・・というように、５枚目単位で撮影画像または低解像度撮影画像を表示する。なお、１枚目の撮影画像を含めてもよい。なお、上記の「５枚目単位」は一例であり、所定枚数は例えば撮影速度に合わせて、３枚目、４枚目、６枚目、１０枚目等を適宜選択することができることはもちろんである。
【００３４】
表示位置調整部３４は、撮影画像に含まれる被写体領域の基準となる部分が、モニタ３６の表示画面における中心位置と一致するように、撮影画像の表示位置を調整する。以下、表示位置の調整について説明する。
【００３５】
図２はＸ線管１２の照射位置と撮影画像における被写体領域との関係を示す図である。なお、被写体領域は検出器１４におけるＸ線の照射範囲に対応するものである。図２に示すように、Ｘ線管１２がその移動範囲の両端部、すなわち最初の照射位置Ｓ１および最後の照射位置Ｓｎにある場合、撮影画像Ｇ１，Ｇｎにおける被写体領域Ａ１，Ａｎは台形状に歪み、Ｘ線管１２が移動範囲の中央の照射位置Ｓｃにある場合、撮影画像Ｇｃにおける被写体領域Ａｃは、コリメータ６の開口部の形状に対応する長方形または正方形となっている。
【００３６】
一方、Ｘ線管１２が照射位置Ｓｃにある場合、被写体領域Ａｃの中心は撮影画像Ｇｃの中心と一致しているが、Ｘ線管１２の移動経路に垂直な方向から見て、撮影画像Ｇ１においては被写体領域Ａ１は撮影画像Ｇ１の右側に寄り、撮影画像Ｇｎにおいては被写体領域Ａｎは撮影画像Ｇｎの左側に寄っている。このため、撮影画像Ｇ１〜Ｇｎを、Ｘ線管１２の移動経路とモニタ３６の上下方向を一致させて、撮影画像Ｇ１〜Ｇｎをモニタ３６に順次表示すると、上記図６に示すように被写体領域が上下に移動してしまう。
【００３７】
このため、表示位置調整部３４は、撮影画像Ｇ１〜Ｇｎのそれぞれにおいて、被写体領域の基準となる部分を、モニタ３６の表示画面３８における所定位置に移動させるためのシフト量を算出する。本実施形態においては、被写体領域の基準となる部分として、断層画像の再構成範囲の中心点の投影位置を、表示画面３８における所定位置として、表示画面３８の中心位置を用いる。
【００３８】
図３はシフト量の算出を説明するための図である。なお、図３および以降の説明において、Ｘ線管１２が移動する方向をｘ方向、これに直交する方向をｙ方向、紙面の上下方向をｚ方向とする。また、図３においては再構成範囲をＲ０、検出器１４の重心を通る垂線とＸ線管１２の移動範囲との交点を基準位置Ｏ１、再構成範囲Ｒ０の中心点（すなわち再構成範囲Ｒ０の中心面Ｂ０と検出器１４の重心を通る垂線との交点）をＲｃ、中心点Ｒｃの検出器１４上への投影位置をＰｉ（ｉ＝１〜ｎ）とする。
【００３９】
ここで、撮影台天板４の天板面から中心面Ｂ０までの高さ、検出器１４の検出面から撮影台天板４の天板面までの距離、ｉ番目の線源位置Ｓｉの座標位置および線源距離は既知であり、記憶部２８に記憶されている。したがって、検出器１４から中心面Ｂ０までの距離ｚａおよび中心面Ｂ０からＸ線管１２の移動範囲までの距離ｚｂを算出でき、さらに基準位置Ｏ１と線源位置Ｓｉとの間の距離ＳＬを算出することができる。よって、検出器１４の検出面の受信から投影位置Ｐｉまでのｘ方向の距離、すなわちシフト量Δｉは下記の式（２）により算出できる。
【００４０】
Δｉ＝ＳＬ×ｚａ／ｚｂ      （２）
そして表示位置調整部３４は、算出したシフト量Δｉを用いて、撮影画像Ｇｉにおける再構成範囲Ｒ０の中心位置の投影位置がモニタ３６の表示画面の中心位置と一致するように、撮影画像Ｇｉの表示位置を調整する。図４は表示位置調整後の撮影画像がモニタに表示される状態を示す図である。図４に示すように、表示位置調整後のプレビュー画像においては、Ｘ線管１２の位置が変わっても、被写体領域が上下に移動してしまうことがなくなる。
【００４１】
なお、プレビュー表示制御部３２は、撮影画像を基準パターンとともに表示するようにしてもよい。基準パターンとしては、例えばモニタ３６の画面の中心位置を交点とする十字パターンや、枠パターンと十字パターンとが組み合わされた格子パターン等が挙げられる。操作者は、モニタ３６に表示される放射線画像を例えば基準パターンとともに見ることによって、被写体２の体動を容易に認識することができ、トモシンセシス撮影を続行すべきか中止すべきかを容易に判定することができる。
【００４２】
さらに、Ｘ線撮影装置１０は、Ｘ線撮影装置１０の各部を制御するための制御部４０を備える。制御部４０は、操作部２４からの指示に応じてＸ線撮影装置１０の各部を制御する。
【００４３】
次いで本実施形態において行われる処理について説明する。図５は本実施形態において行われる処理を示すフローチャートである。なお、本発明は撮影画像をプレビュー表示する点に特徴を有するため、ここではプレビュー表示を行う処理についてのみ説明し、複数の撮影画像を用いた再構成の処理については説明は省略する。操作者による処理開始の指示を操作部２４が受け付けることにより制御部４０が処理を開始し、Ｘ線管１２を移動させつつトモシンセシス撮影を行い（ステップＳＴ１）、画像取得部２０がＸ線管１２の照射位置Ｓｉにおける撮影画像Ｇｉを取得する（ステップＳＴ２）。
【００４４】
次いで、表示位置調整部３２が上述したシフト量Δｉを算出し（ステップＳＴ３）、撮影画像Ｇｉの表示位置を調整する（ステップＳＴ４）。そしてプレビュー表示制御部３２が表示位置が調整された撮影画像Ｇｉをプレビュー表示し（ステップＳＴ５）、処理を終了する。
【００４５】
このように、本実施形態においては、トモシンセシス撮影中の被写体２の撮影画像をモニタ３６にプレビュー表示させるようにしたため、操作者は被写体２４の体動のレベルを容易に把握させることができ、これにより、作業効率の向上を図ることができるとともに、患者の被曝や患者の拘束時間に無駄を生じさせることがなくなる。とくに、本実施形態においては、撮影画像を表示する際に、撮影画像に含まれる被写体領域における再構成範囲の中心位置の投影位置を、モニタ３６の表示画面３８の中心位置と一致させるよう撮影画像の表示位置を調整するようにしたため、プレビュー用画像を順次表示する際に、被写体領域が表示画面３８において移動することがなくなる。したがって、本実施形態によれば、撮影中の被写体の体動を容易に観察することができる。
【００４６】
なお、上記実施形態においては、被写体領域の基準となる部分として、断層画像の再構成範囲の中心点の投影位置を用いているが、撮影画像における被写体領域の重心位置、対角線の交点あるいは撮影画像における被写体領域を構成する４つの辺のうちの互いに平行となる２つの辺のいずれか一方の辺の位置等、あらかじめ定められた任意の部分を用いることができる。また、表示画面３８における所定位置としても、中心位置に限定されるものではなく、表示画面３８の１つの辺あるいはあらかじめ定められた点等、任意の位置を用いることができる。
【００４７】
また、上記実施形態においては、被写体を臥位にて撮影台に載置してトモシンセシス撮影を行っているが、立位の撮影台を用いてトモシンセシス撮影を行う場合にも本発明を適用できることはもちろんである。
【符号の説明】
【００４８】
２    被写体
４    撮影台天板
６    コリメータ
１０    Ｘ線撮影装置
１２    Ｘ線管
１４    検出器
１６，１８    移動機構
２０    画像取得部
２２    再構成部
２４    操作部
２６    表示部
２８    記憶部
３０    演算部
３２    プレビュー表示制御部
３４    表示位置調整部
３６    モニタ
３８    表示画面
４０    制御部
【図１】
0005559648.tif 000003
【図２】
0005559648.tif 000004
【図３】
0005559648.tif 000005
【図４】
0005559648.tif 000006
【図５】
0005559648.tif 000007
【図６】
0005559648.tif 000008